(57)【要約】【課題】防塵・防汚性に加えて通気性をも確保するようにした衣服を提供する。【解決手段】着用者の上半身を覆うことのできる上着１２を少なくとも備えると共に、密閉可能な衣服（ヤッケ）１０において、上着１２に開口部２６を設けると共に、開口部２６を閉塞自在な持出し３０を取り付ける。即ち、通常時は開口部２６を持出し３０で閉塞する一方、ヤッケ１０を通気性を必要とする場面で着用する際には、開口部２６を持出し３０で閉塞しない、換言すれば、開口部２６を露出させるようにして通気性を確保する。【選択図】図１
2011080166.tif 000002
【特許請求の範囲】
【請求項１】
着用者の上半身を覆うことのできる上着を少なくとも備えると共に、密閉可能な衣服において、前記上着に開口部を設けると共に、前記開口部を閉塞自在な持出しを取り付けたことを特徴とする衣服。
【請求項２】
前記開口部を背中側に設けたことを特徴とする請求項１記載の衣服。
【請求項３】
前記持出しを前記開口部を介して前記上着の内側に折り返し自在に取り付けたことを特徴とする請求項１または２記載の衣服。
【請求項４】
前記持出しを前記上着の外側に折り返し自在に取り付けたことを特徴とする請求項１または２記載の衣服。
【請求項５】
前記持出しに留め具を取り付けたことを特徴とする請求項１から４のいずれかに記載の衣服。
【請求項６】
前記留め具が面ファスナからなるように構成したことを特徴とする請求項５記載の衣服。
【発明の詳細な説明】
【技術分野】
【０００１】
この発明は衣服に関し、より詳しくは着用者の少なくとも上半身を覆うことのできる上着を備えた、密閉可能な衣服に関する。
【背景技術】
【０００２】
従来より、防塵・防汚や防風・防寒を目的とする密閉可能な衣服、即ち、密閉性の高い衣服として、例えばヤッケが広く知られている（特許文献１参照）。ヤッケは、そのため、例えば袖口にゴムを入れて手首と密着させたり、またフードを取り付けて頭部を覆うことができるようにするなどして密閉度を高めるように構成される。このように、袖口などに形成される隙間をできるだけ少なくする工夫がなされていることから、袖口などの隙間から上着の内部に侵入するような通気は殆どない。
【先行技術文献】
【特許文献】
【０００３】
【特許文献１】特開２００３−２０１６０９号公報（段落００１４，００１７、図１，７など）
【発明の概要】
【発明が解決しようとする課題】
【０００４】
ところで、ヤッケのような密閉性の高い衣服を冷蔵室に出入りする作業で着用したり、夏山から平地に下山した場合など夏の暑いときでも着用することがある。その場合、防塵・防汚の機能を保持しつつ通気性を確保できることが望ましいが、特許文献１記載の技術にあっては、その点について何ら開示するものではなかった。
【０００５】
従って、この発明の目的は上記した課題を解決し、防塵・防汚性に加えて通気性をも確保するようにした衣服を提供することにある。
【課題を解決するための手段】
【０００６】
上記した課題を解決するために、請求項１にあっては、着用者の上半身を覆うことのできる上着を少なくとも備えると共に、密閉可能な衣服において、前記上着に開口部を設けると共に、前記開口部を閉塞自在な持出しを取り付ける如く構成した。
【０００７】
請求項２に係る衣服にあっては、前記開口部を背中側に設ける如く構成した。
【０００８】
請求項３に係る衣服にあっては、前記持出しを前記開口部を介して前記上着の内側に折り返し自在に取り付ける如く構成した。
【０００９】
請求項４に係る衣服にあっては、前記持出しを前記上着の外側に折り返し自在に取り付ける如く構成した。
【００１０】
請求項５に係る衣服にあっては、前記持出しに留め具を取り付ける如く構成した。
【００１１】
請求項６に係る衣服にあっては、前記留め具が面ファスナからなる如く構成した。
【発明の効果】
【００１２】
請求項１に係る衣服にあっては、上着に開口部を設けると共に、開口部を閉塞自在な持出しを取り付けるように構成したので、開口部を持出しで閉塞しない、換言すれば、開口部を露出させるようにすることも可能となり、それによって上着の内部の湿って暖かい空気を開口部から積極的に放出する、いわゆるふいご効果を期待でき、暑い空間であっても快適な活動ができる。即ち、ヤッケのような密閉性の高い衣服を通気性を必要とする場面で着用する際（例えば冷蔵室に出入りする作業で着用したり、夏山から平地に下山した場合など夏の暑いときに着用する際）、開口部を露出させることで、防塵・防汚性に加えて通気性をも確保することができる。
【００１３】
また、持出しを閉塞自在に取り付けるように構成したので、開口部を持出しで閉塞することも可能であり、その場合は上着の密閉度が高められるため、防塵・防汚性および防風・防寒性の両方の機能を得ることができる。
【００１４】
請求項２に係る衣服にあっては、開口部を背中側に設けるように構成したので、上記した効果に加え、着用者の身体の中でも特に皮脂腺や汗腺が集中し、脂や汗の分泌量が比較的多い背中側の通気性を確実に確保することができる。また、上着の背中側は腕の動きに応じて左右に引っ張られるため、そこに開口部を設けることで開閉が容易、具体的には作業による動きと連動して空気の出し入れが行われ易くすることができ、通気性をより確実に確保できる。
【００１５】
請求項３に係る衣服にあっては、持出しを開口部を介して上着の内側に折り返し自在に取り付けるように構成したので、上記した効果に加え、持出しを上着の内側に折り返す簡易な動作で、開口部を容易に露出させることができる。
【００１６】
請求項４に係る衣服にあっては、持出しを上着の外側に折り返し自在に取り付けるように構成したので、請求項１および２で述べた効果に加え、持出しを上着の外側に折り返す簡易な動作で、開口部を容易に露出させることができる。
【００１７】
請求項５に係る衣服にあっては、持出しに留め具を取り付けるように構成したので、上記した効果に加え、開口部を持出しで閉塞せずに露出させるとき、持出しを留め具を用いて上着に固定できる、即ち、開口部が露出させられた状態を容易に維持でき、よって通気性をより一層確実に確保することができる。また、開口部を持出しで閉塞させるときも、持出しを留め具で上着に固定できる、即ち、開口部が閉塞させられた状態を容易に維持でき、よって防塵・防汚性および防風・防寒性の両方の機能を効果的に得ることができる。
【００１８】
請求項６に係る衣服にあっては、留め具が面ファスナからなるように構成したので、簡易な構成でありながら、請求項５で述べた効果を得ることができる。
【図面の簡単な説明】
【００１９】
【図１】この発明の第１実施例に係る衣服（ヤッケ）の背面図である。
【図２】図１に示す衣服（ヤッケ）の正面図である。
【図３】図１に示す開口部付近を拡大して模式的に示す模式拡大図である。
【図４】図１に示す開口部付近を模式的に示す模式分解斜視図である。
【図５】図１に示す持出しを上着の内側に折り返した状態を示す、図１と同様な背面図である。
【図６】図５に示す開口部付近を拡大して模式的に示す、図３と同様な模式拡大図である。
【図７】図５に示す開口部付近を模式的に示す、図４と同様な模式分解斜視図である。
【図８】この発明の第２実施例に係る衣服（ヤッケ）の背面図である。
【図９】図８に示す開口部付近を拡大して示す拡大図である。
【図１０】図８に示す開口部付近を模式的に示す、図４と同様な模式分解斜視図である。
【図１１】図１０に示す開口部を閉塞した状態を模式的に示す、図１０と同様な模式分解斜視図である。
【図１２】図８と同様、衣服（ヤッケ）の背面図である。
【図１３】図１２に示す開口部付近を模式的に示す、図１０と同様な模式分解斜視図である。
【発明を実施するための形態】
【００２０】
以下、添付図面に即してこの発明に係る衣服を実施するための形態について説明する。
【実施例１】
【００２１】
図１はこの発明の第１実施例に係る衣服の背面図であり、図２は図１に示す衣服の正面図である。尚、この明細書において、上下左右あるいは前後などの記載は、衣服の着用者にとっての上下左右方向あるいは前後方向を意味する。
【００２２】
図１および図２において、符号１０は衣服、具体的にはヤッケ（ウィンドヤッケ。アノラック）を示す。ヤッケ１０は、図示しない着用者の少なくとも上半身を覆うことのできる上着１２からなる。ヤッケ１０は、前述した如く、基本的には防塵・防汚や防風・防寒を目的とする衣服であるため、密閉可能にする工夫、換言すれば、密閉度を高めるような工夫が種々なされている。
【００２３】
具体的に説明すると、ヤッケ１０を構成する上着１２は、例えば合繊繊維、より具体的にはナイロン（登録商標）またはポリエステルから製作され、その表面は撥水加工などの処理が適宜に施される。上着１２は、着用者の胸部と腹部を覆う上着本体１４と、上着本体１４に縫着される左右の袖（長袖）１６Ｌ，１６Ｒとフード１８を備える。
【００２４】
袖１６Ｌ，１６Ｒの袖口１６Ｌａ，１６Ｒａの周縁には、ゴムなどの弾性部材（具体的には、ゴム紐。図１，２で見えず）が取り付けられる。これにより、袖口１６Ｌａ，１６Ｒａは適宜に絞られて手首と密着させられ、袖口１６Ｌａ，１６Ｒａの隙間は少なくなる。
【００２５】
フード１８は、上着本体１４の首周り１４ａから連続するように取り付けられ、着用者の頭部（顔面を除く）を覆うことのできる形状とされる。また、フード１８において顔面を露出させる部位１８ａの周縁には調節紐２０（図２に示す）が通され、その両端にはストッパ２０ａが取り付けられる。従って、着用者がフード１８を被ると共に、調節紐２０を引っ張って顔面脇周りの部位１８ａを適宜に絞った後、その状態をストッパ２０ａで維持することで、首周り１４ａや顔面脇周り付近の隙間は少なくなると共に、頭部の露出面積も減少する。
【００２６】
上着本体１４の裾１４ｂの周縁には、ストッパ２２ａ付きの裾紐２２が取り付けられる。これにより、着用者が裾紐２２を引っ張って裾１４ｂを適宜に絞った後、その状態をストッパ２２ａを用いて維持することで、裾１４ｂは着用者の腰と密着させられ、よって裾１４ｂの隙間が少なくなる。尚、図１，２においては、裾１４ｂが裾紐２２によって絞られる前の状態を示す。
【００２７】
上着本体１４は、前身頃１４Ｆと後身頃１４Ｂからなる。図２に示す如く、前身頃１４Ｆの胸部付近からフード１８の顎位置にかけての部位には、上着１２の着脱を容易にするための前明き２４が形成され、そこにはファスナ（図２で見えず）が取り付けられる。従って、上着１２を着用した後にファスナを閉めて前明き２４を閉じることで、首周り１４ａ付近の隙間は少なくなる。尚、図２においてはファスナを閉めた状態を示す。
【００２８】
上記の如く、ヤッケ１０は、袖口１６Ｌａ，１６Ｒａや首周り１４ａなどに形成される隙間をできるだけ少なくして密閉可能にする工夫、換言すれば、密閉性を高める工夫がなされているため、隙間から上着１２の内部に侵入するような通気は殆どなく、防塵・防汚性および防風・防寒性に優れる。
【００２９】
ヤッケ１０の説明を続けると、図１に示す如く、上着本体１４の後身頃１４Ｂは、肩から腰付近に亘る略矩形状を呈する複数枚（３枚）の生地片からなる。以下において、左側の生地片を「左後身頃１４ＢＬ」といい、中央部を「中央後身頃１４ＢＣ」、右側を「右後身頃１４ＢＲ」という。
【００３０】
左後身頃１４ＢＬと中央後身頃１４ＢＣ、および中央後身頃１４ＢＣと右後身頃１４ＢＲは、一部分（背中側の上方付近）を除き、肩から裾１４ｂに亘って縫着されて縫い合わされる。
【００３１】
上記の如く、左後身頃１４ＢＬと中央後身頃１４ＢＣ、および中央後身頃１４ＢＣと右後身頃１４ＢＲの一部分が縫着されないことで、そこには着用時の上着１２の内部空間と外部とを連通する開口部２６が形成される。具体的には、上着１２の背中側、詳しくは上着１２の背中側（後身頃１４Ｂ）を上下に区分した場合の上半分側に相当する位置には、複数個（より具体的には２個）の開口部２６が設けられる。尚、図１において開口部２６自体は、後述する持出しに隠れて見えない。
【００３２】
図３はその開口部２６付近を拡大して模式的に示す模式拡大図であり、図４は開口部２６付近を模式的に示す模式分解斜視図である。以下において、２個の開口部２６のうち左側に設けられた方を例に挙げて説明するが、左右の開口部２６は左右対称のため、以下の説明は右側の開口部２６にも妥当する。
【００３３】
図１および図３，４を参照しつつ説明すると、開口部２６は、上着１２の肩線から下方に所定距離（例えば約７ｃｍ。図１において符号ｌ１で示す）離間した位置にその上端が配置されると共に、上下方向の長さｌ２は例えば約２８ｃｍとされる。
【００３４】
上着１２の中央後身頃１４ＢＣであって開口部２６に相当する部位には、開口部２６を閉塞自在な持出し（フラップ）３０が取り付けられる（縫着される）。持出し３０は略台形状を呈すると共に、上着１２と同様に合成繊維、具体的にはナイロンまたはポリエステル製で、撥水加工などの処理が適宜に施される。
【００３５】
持出し３０において中央後身頃１４ＢＣに縫合される側の一端３０ａの上下方向の長さは、開口部２６のそれ（ｌ２）と同様な値（例えば約２８ｃｍ）とされる。他方、持出し３０において一端３０ａと反対側の他端３０ｂの上下方向の長さｌ３は、一端３０ａのそれに比して短く、例えば約２５ｃｍに設定される。また、一端３０ａと他端３０ｂとの距離、即ち、持出し３０の左右方向の長さは、例えば約３ｃｍとされる。
【００３６】
持出し３０には、図３，４に良く示す如く、左後身頃１４ＢＬなどと密着させるための留め具３２が取り付けられる。留め具３２は、具体的には面ファスナ（マジック・テープ（登録商標））からなる。尚、図において、留め具３２の見えない部分は必要に応じて破線で示す。
【００３７】
詳説すると、持出し３０の内面（正確には、左後身頃１４ＢＬと接触する面）３０ｃには、留め具３２である面ファスナのフック側（以下「フック側面ファスナ」といい、符号３２ａで示す）が縫い付けられる。この明細書で「内面」や「内側」とは基本的に、着用されたヤッケ１０において着用者の身体に近い方の部分を意味し、「外面」や「外側」とは着用者の身体から遠い方あるいは露出する側を意味する。
【００３８】
一方、左後身頃１４ＢＬであって持出し３０のフック側面ファスナ３２ａと対向する位置には、面ファスナのループ側（以下「第１のループ側面ファスナ」といい、符号３２ｂ１で示す）が縫い付けられる。フック側面ファスナ３２ａと第１のループ側面ファスナ３２ｂ１の上下方向の長さは共に、持出し３０の他端３０ｂと略同一な値（例えば約２５ｃｍ）に設定される。
【００３９】
これにより、フック側面ファスナ３２ａと第１のループ側面ファスナ３２ｂ１を掛止（接合）させることで、持出し３０と左後身頃１４ＢＬは密着させられる。即ち、上着１２の背中側には開口部２６が形成されるものの、持出し３０が留め具３２を介して左後身頃１４ＢＬに密着させられて固定されるため、開口部２６は閉塞されることとなり、よって上着１２の密閉度は維持されて上記した防塵・防汚性および防風・防寒性の機能は保持される。
【００４０】
尚、図４にあっては、理解の便宜のため、フック側面ファスナ３２ａと第１のループ側面ファスナ３２ｂ１とを離間させて示したが、通常これらは掛止されて密着させられる。
【００４１】
前記した持出し３０はさらに、開口部２６を介して（通って）上着１２の内側に折り返し自在に取り付けられる。
【００４２】
図５は持出し３０を上着１２の内側に折り返した状態を示す、図１と同様な背面図である。また、図６は図５に示す開口部２６付近を拡大して模式的に示す、図３と同様な模式拡大図である。図７は図５に示す開口部２６付近を模式的に示す、図４と同様な模式分解斜視図である。
【００４３】
図５から図７に示す如く、持出し３０は、一端３０ａ付近を折り目にして上着１２の内側に折り曲げ可能となるように、上着１２の中央後身頃１４ＢＣに取り付けられる。そのため、持出し３０を上着１２の内側に折り返すと、開口部２６は露出させられることとなる。
【００４４】
また、中央後身頃１４ＢＣの内面１４ＢＣａであって、持出し３０を折り曲げたときにフック側面ファスナ３２ａと対向する位置には、第２のループ側面ファスナ３２ｂ２が縫い付けられる。第２のループ側面ファスナ３２ｂ２の上下方向の長さｌ４は、持出し３０を折り曲げたときの面ファスナの着脱の容易性などを考慮して、フック側面ファスナ３２ａおよび第１のループ側面ファスナ３２ｂ１のそれに比して短く設定され、例えば約８ｃｍとされる。
【００４５】
これにより、持出し３０を上着１２の内側に折り曲げた後、フック側面ファスナ３２ａと第２のループ側面ファスナ３２ｂ２を掛止させることで、持出し３０は中央後身頃１４ＢＣの内面１４ＢＣａに密着させられて固定される、換言すれば、開口部２６を露出させた状態が留め具３２によって維持されることとなる。
【００４６】
開口部２６が露出させられると、図６，７に矢印Ａで示す如く、外部の空気が上着１２の内部に開口部２６を介して侵入すると共に、上着１２の内部の空気は開口部２６を介して外部に放出（排出）される、即ち、上着１２の通気性が確保される。
【００４７】
以上の如く、第１実施例に係るヤッケ（衣服）１０においては、上着１２に開口部２６を設けると共に、開口部２６を閉塞自在な持出し３０を取り付けるように構成したので、開口部２６を持出し３０で閉塞しない、換言すれば、開口部２６を露出させるようにすることも可能となり、それによって上着１２の内部の湿って暖かい空気を開口部２６から積極的に放出する、いわゆるふいご効果を期待でき、暑い空間であっても快適な活動ができる。即ち、密閉性の高いヤッケ１０を通気性を必要とする場面で着用する際（例えば冷蔵室に出入りする作業で着用したり、夏山から平地に下山した場合など夏の暑いときに着用する際）、開口部２６を露出させることで、防塵・防汚性に加えて通気性をも確保することができる。
【００４８】
また、持出し３０を閉塞自在に取り付けるように構成したので、開口部２６を持出し３０で閉塞することも可能であり、その場合は上着１２の密閉度が高められるため、防塵・防汚性および防風・防寒性の両方の機能を得ることができる。
【００４９】
また、開口部２６を背中側（後身頃１４Ｂ）に設けるように構成したので、着用者の身体の中でも特に皮脂腺や汗腺が集中し、脂や汗の分泌量が比較的多い背中側の通気性を確実に確保することができる。また、上着１２の背中側は腕の動きに応じて左右に引っ張られるため、そこに開口部２６を設けることで開閉が容易、具体的には作業による動きと連動して空気の出し入れが行われ易くすることができ、通気性をより確実に確保できる。
【００５０】
また、持出し３０を開口部２６を介して上着１２の内側に折り返し自在に取り付けるように構成したので、持出し３０を上着１２の内側に折り返す簡易な動作で、開口部２６を容易に露出させることができる。
【００５１】
また、持出し３０に留め具３２を取り付けるように構成したので、開口部２６を持出し３０で閉塞せずに露出させるとき、持出し３０を留め具３２（フック側面ファスナ３２ａ、第２のループ側面ファスナ３２ｂ２）を用いて上着１２（正確には、中央後身頃１４ＢＣの内面１４ＢＣａ）に固定できる、即ち、開口部２６が露出させられた状態を容易に維持でき、よって通気性をより一層確実に確保することができる。
【００５２】
また、開口部２６を持出し３０で閉塞させるときも、持出し３０を留め具３２（フック側面ファスナ３２ａ、第１のループ側面ファスナ３２ｂ１）で上着１２（正確には、左後身頃１４ＢＬまたは右後身頃１４ＢＲ）に固定できる、即ち、開口部２６が閉塞させられた状態を容易に維持でき、よって防塵・防汚性および防風・防寒性の両方の機能を効果的に得ることができる。
【００５３】
また、留め具３２が面ファスナ（フック側面ファスナ３２ａ、第１、第２のループ側面ファスナ３２ｂ１，３２ｂ２）からなるように構成したので、簡易な構成でありながら、上記した効果を得ることができる。
【実施例２】
【００５４】
次いで、この発明の第２実施例に係る衣服について説明する。
【００５５】
図８は第２実施例に係る衣服（ヤッケ）１００の背面図である。図８にあっては、図５と同様、上着１２の開口部２６によって通気性が確保された状態を示す。また、以下においては、第１実施例と共通の構成については、同一の符号を付して説明を省略する。
【００５６】
第１実施例と相違する点に焦点をおいて説明すると、第１実施例において上着１２の内側に折り返し自在に取り付けられていた持出し３０を、第２実施例にあっては上着１２の外側に折り返し自在に取り付けるように構成した。
【００５７】
図９は図８に示す開口部２６付近を拡大して示す拡大図であり、図１０は開口部２６付近を模式的に示す模式分解斜視図である。
【００５８】
図８から図１０（特に図１０）に示す如く、持出し３０の一端３０ａは中央後身頃１４ＢＣにおいて開口部２６を形成する部位に沿って重ねられる一方、他端３０ｂは背中中心側（図において右側）に向けられて配置され、その状態で一端３０ａが中央後身頃１４ＢＣと縫い合わされる。
【００５９】
左後身頃１４ＢＬは、中央後身頃１４ＢＣと持出し３０より外側に位置させられる。左後身頃１４ＢＬにおいて開口部２６を形成する部位には、第２の持出し４０が前記した持出し３０と重なるようにして縫い付けられる。第２の持出し４０は略台形状を呈すると共に、持出し３０と同様に合成繊維、具体的にはナイロンまたはポリエステル製で、撥水加工などの処理が施される。
【００６０】
第２の持出し４０の上下方向の長さは、持出し３０の一端３０ａのそれと略同一（例えば約２８ｃｍ）とされると共に、左右方向の長さ（即ち、一端４０ａから他端４０ｂまでの距離）は、持出し３０のそれに比して短い値（例えば約１．５ｃｍ）に設定される。また、持出し３０の左右方向の長さは、第１実施例のそれに比して長く、例えば約４．５ｃｍとされる。
【００６１】
このように、持出し３０と第２の持出し４０はそれぞれ、中央後身頃１４ＢＣと左後身頃１４ＢＬの開口部２６の形成部位に取り付けられる、換言すれば、開口部２６を閉塞しないように（露出するように）縫い付けられる。そのため、持出し３０と第２の持出し４０が図８から図１０に示す状態にあるときは、矢印Ａで示す如く、外部の空気が上着１２の内部に開口部２６を介して侵入すると共に、上着１２の内部の空気は開口部２６を介して外部に放出される、即ち、上着１２の通気性が確保されることとなる。
【００６２】
また、持出し３０の外面３０ｄ、詳しくは第２の持出し４０と接触する側の面３０ｄであって第２の持出し４０と重ならない位置（露出する位置）には、留め具３２である面ファスナのフック側面ファスナ３２ａが複数個（具体的には３個）略等間隔に取り付けられる。
【００６３】
左後身頃１４ＢＬの適宜位置、正確には、後述する如く持出し３０を折り返して開口部２６を閉塞するときのフック側面ファスナ３２ａに対応する位置には、第１のループ側面ファスナ３２ｂ１（図８，９にのみ示す）が複数個、具体的には３個略等間隔に取り付けられる。フック側面ファスナ３２ａと第１のループ側面ファスナ３２ｂ１は共に、上下方向の長さが例えば約４ｃｍ、左右方向の長さが約１．６ｃｍに設定される。尚、第１実施例における第２のループ側面ファスナ３２ｂ２は除去される。
【００６４】
図１１は、図１０に示す開口部２６を閉塞させた状態を模式的に示す、図１０と同様な模式分解斜視図である。尚、開口部２６を閉塞させたときのヤッケ１００の背面の外観は、図１に示すものと略同じであるため、図示を省略する。
【００６５】
上記の如く構成されるヤッケ１００において開口部２６を閉塞する場合は、図１１に示す如く、先ず持出し３０を一端３０ａ付近を折り目にして、第２の持出し４０を巻き込みながら左後身頃１４ＢＬ側に折り曲げる。次いで、フック側面ファスナ３２ａと第１のループ側面ファスナ３２ｂ１を掛止（接合）させる。図１１にあっては、理解の便宜のため、フック側面ファスナ３２ａと第１のループ側面ファスナ３２ｂ１とを離間させて示したが、通常これらは掛止されて密着させられる。
【００６６】
これにより、持出し３０と左後身頃１４ＢＬは密着させられて固定されるため、開口部２６は持出し３０と第２の持出し４０で閉塞されることとなり、よって外部からの空気の侵入を矢印Ｂで示す如く防止でき、防塵・防汚性および防風・防寒性の機能を得ることができる。
【００６７】
尚、上記したように、第１実施例において留め具３２（フック側面ファスナ３２ａや第１のループ側面ファスナ３２ｂ１）は持出し３０の全面に取り付けられるのに対し、第２実施例においては比較的小さい留め具３２が３個取り付けられるように構成される。この差異は、第２実施例が持出し３０を第２の持出し４０を巻き込むようにして折り曲げて、開口部２６を閉塞する構成であることに起因する。
【００６８】
即ち、第１実施例では持出し３０のみで開口部２６を閉じる構成であるため、横または斜めからの雨や風の侵入を防ぐためには、開口部２６と同等の長さの留め具３２を持出し３０の全面に取り付ける必要がある。これに対して第２実施例にあっては、持出し３０と第２の持出し４０の両方を折り曲げて開口部２６を閉塞しているため、矢印Ｂで示す如く、雨や風の直接的な侵入はそれらによって防ぐことができる。そのため、留め具３２は機能的には着用時に持出し３０が勝手に開かないように接着できれば良く、よって留め具３２を比較的小さいものに代えて３箇所に分散して取り付けるようにした。これにより、持出し３０を安易な力で開閉することができる。
【００６９】
次いで第２実施例に係る衣服１００において、通気性をより確実に確保するようにした持出し３０と第２の持出し４０の折り返しについて説明する。図１２はその状態における衣服１００の背面図であり、図１３は図１２に示す開口部２６付近を模式的に示す模式分解斜視図である。
【００７０】
図１２および図１３（特に図１３）に示す如く、持出し３０を一端３０ａ付近を折り目にして開口部２６を介して上着１２の内側に折り返す一方、第２の持出し４０も同様に、一端４０ａ付近を折り目にして開口部２６を介して上着１２の内側に折り返すことで、開口部２６を露出させる。
【００７１】
このように、持出し３０と第２の持出し４０の両方を上着１２の内側に折り返しているため、開口部２６は持出し３０，４０の厚さの分だけ開き易くなり、それによってふいご効果が促進されて通気性をより確実に確保することができる。
【００７２】
上記したように、第２実施例に係るヤッケ１００にあっては、持出し３０を上着１２の外側に折り返し自在となるように取り付ける如く構成、具体的には、図１１に示す開口部２６が閉塞された状態から、持出し３０を上着１２の外側に折り返すことで、図１０に示す開口部２６が閉塞されない状態となるように構成したので、持出し３０を上着１２の外側に折り返す簡易な動作で開口部２６を容易に露出させることができ、防塵・防汚性に加えて通気性をも確保することができる。尚、残余の構成および効果は、第１実施例のそれと異ならない。
【００７３】
以上の如く、この発明の第１および第２実施例にあっては、着用者の上半身を覆うことのできる上着１２を少なくとも備えると共に、密閉可能な衣服（ヤッケ）１０，１００において、前記上着１２に開口部２６を設けると共に、前記開口部２６を閉塞自在な持出し３０を取り付ける如く構成した。
【００７４】
また、前記開口部２６を背中側（後身頃１４Ｂ）に設ける如く構成した。
【００７５】
また、前記持出し３０を前記開口部２６を介して前記上着１２の内側に折り返し自在に取り付ける如く構成した。
【００７６】
また、第２実施例にあっては、前記持出し３０を前記上着１２の外側に折り返し自在に取り付ける如く構成した。
【００７７】
また、第１、第２実施例にあっては、前記持出し３０に留め具３２を取り付ける如く構成した。
【００７８】
また、前記留め具３２が面ファスナ（フック側面ファスナ３２ａ、第１、第２のループ側面ファスナ３２ｂ１，３２ｂ２）からなる如く構成した。
【００７９】
尚、上記した第１および第２実施例において、衣服としてヤッケを例に挙げて説明したが、それに限られるものではなく、要は密閉性が高い衣服であれば良く、例えば上下一体のつなぎなどであっても良い。
【００８０】
また、持出し３０の留め具３２を面ファスナからなるように構成したが、それに代えてスライドファスナなどであっても良い。
【００８１】
また、開口部２６や持出し３０、留め具３２の長さや個数および上着１２の素材などを具体的に示したが、それらは例示であって限定されるものではない。
【符号の説明】
【００８２】
１０，１００  ヤッケ（衣服）、１２  上着、１４Ｆ  前身頃、１４Ｂ  後身頃、２６  開口部、３０  持出し、３２  留め具、３２ａ  フック側面ファスナ（留め具）、３２ｂ１  第１のループ側面ファスナ（留め具）、３２ｂ２  第２のループ側面ファスナ（留め具）
【図１】
2011080166.tif 000003
【図２】
2011080166.tif 000004
【図３】
2011080166.tif 000005
【図４】
2011080166.tif 000006
【図５】
2011080166.tif 000007
【図６】
2011080166.tif 000008
【図７】
2011080166.tif 000009
【図８】
2011080166.tif 000010
【図９】
2011080166.tif 000011
【図１０】
2011080166.tif 000012
【図１１】
2011080166.tif 000013
【図１２】
2011080166.tif 000014
【図１３】
2011080166.tif 000015